(57)【特許請求の範囲】
【請求項１】
底部が開口した枠体の左右の支持壁にガイド用の長孔を形成すると共に該左右の支持壁間に軸状の係止部を横架させた枠部材と、
一端に前記係止部の軸径よりもやや狭く形成された嵌込開口を有し該係止部に対し上方から嵌合する第一係合部と、他端に第二係合部を形成すると共に該第二係合部の両側にガイドピンを突設したレバー部材とからなり、
前記レバー部材のガイドピンを前記枠部材の長孔に移動自在に挿通した遊技盤固定用締付具と、前記枠部材の開口から該枠部材内に突出位置する固定具とにより構成されたパチンコ機における遊技盤の固定装置であって、
前記レバー部材が締付解除位置にある状態から該レバー部材を締付け方向に押圧すると、前記レバー部材のガイドピンが前記枠部材の長孔を移動して該レバー部材の第二係合部が前記固定具に係合すると共に、前記レバー部材の第一係合部の嵌込開口が前記枠部材の係止部に係合することで遊技盤を固定するようにしたことを特徴とするパチンコ遊技機における遊技盤の固定装置。
【請求項２】
前記枠部材の左右の支持壁に直角状の屈曲部を形成し両支持壁間に広巾間隔部と狭巾間隔部を設け、一方、前記レバー部材の両側面には円弧状のガイド部を設け、
前記レバー部材が締付解除位置にある状態から該レバー部材を締付け方向に押圧すると、該レバー部材の円弧状のガイド部が前記枠部材の屈曲部に当接しながら該レバー部材の移動をガイドし、該レバー部材の第二係合部が前記固定具に係合すると、同時に該レバー部材のガイド部の端部が前記枠部材の屈曲部に係止されるようにしたことを特徴とする請求項１記載のパチンコ遊技機における遊技盤の固定装置。
【発明の詳細な説明】
【０００１】
【発明の属する技術分野】
本発明は、パチンコ機における遊技盤の固定装置に関するものである。
【０００２】
【従来の技術】
従来、遊技盤の固定装置は、図８に示すように遊技盤固定用締付具１００により固定されている。この従来の締付具１００は、左右側壁１０１，１０１にガイド用の長孔１０２を有し、底部１０３に開孔１０４を設けた枠体１０５と、該枠体１０５に回動自在に枢支されたレバー１０６と、該レバー１０６に基端を枢着し、かつ先端に係合部１０７を備え、その両側に突設した突起１０８を前記長孔１０２に挿通して移動自在に支持される係合部材１０９からなり、遊技盤取付枠１１０後面に突出する固定具１１１の係合溝１１２に、前記係合部材１０９の係合部１０７を係止させると共に、レバー１０６を回動し固定具１１１を引き寄せ遊技盤１１３を固定するようにしている。
【０００３】
【発明が解決しようとする課題】
従来のパチンコ機における固定装置にあっては、遊技盤固定用締付具の部品点数が多く、組付けに手間が掛かり、作業性が悪くコストも高くつくという問題点があった。
【０００４】
本発明は上記した従来の問題点に鑑みてなされたもので、その目的とするところは、部品点数を減らしてコストを削減すると共に、作業性も簡単で強固な締付力が維持できるようなパチンコ機における遊技盤の固定装置を提供しようとするものである。
【０００５】
【課題を解決するための手段】
上記した目的を達成するために本発明のパチンコ機における遊技盤の固定装置は、底部が開口した枠体の左右の支持壁にガイド用の長孔を形成し、係止部を設けた枠部材と、一端に前記係止部に係止する第一係合部と他端に第二係合部を形成し、両側にガイドピンを突設したレバー部材とからなり、レバー部材のガイドピンを前記枠部材の長孔に移動自在に挿通した遊技盤固定用締付具と、前記枠体の開口から枠体内に突出位置し、前記第二係合部が係合する係合部を備えた固定具とにより構成した。
【０００６】
前記係止部は左右の支持壁間に横架する軸状に形成され、第一係合部は係止部の軸径よりやや狭く形成され、かつ係止部に対して上方から嵌合し易いように下面側にＣ字形の嵌込開口を形成するのが好ましい。
【０００７】
前記長孔の一端にレバー部材を締付解除位置に保持する係止孔を形成するのが好ましく、さらには前記枠部材にレバー部材のガイドピンを係止孔に嵌める補助突起を設けるのがよい。
【０００８】
前記左右の支持壁の前部寄りに直角状の屈曲部を設けて、両支持壁間に広巾間隔部と狭巾間隔部を設け、一方レバー部材の側面に前記屈曲部に当接して、ガイドピンを係止孔から長孔を移動して第二係合部が係合部と係合する位置までガイドする円弧状のガイド部をスリットを介して設けるのが好ましい。またガイド部の終端を屈曲部に設けた半円状の補助係止部によって係止して、レバー部材がむやみに係合解除しないようにするのがよい。
【０００９】
前記左右の支持壁に、レバー部材の締付け時にレバー部材の上面に係止する係止突起を設けるのが好ましく、さらには該係止突起の両側に沿うように切欠溝を設けて係合突起に弾性を付与させるようにするのが好ましい。
【００１０】
【発明の実施の形態】
次に図面に従い本発明の一実施の形態について説明する。図１は本発明が適用されるパチンコ機の裏面図、図２は遊技盤の固定状態を示す要部の斜視図、図３は本発明の関連構成を説明する分解斜視図である。図において、１はパチンコ機の機枠、２は機枠１の前面に開閉自在に装着された前面枠である。前面枠２の裏面には合成樹脂により一体に形成した遊技盤取付枠３を介して遊技盤４が着脱自在に装着されており、該遊技盤４の裏面には入賞球集合部５，球タンク６，パチンコ球払出装置７等の裏部品を組付けた合成樹脂製の機構板８が開閉自在に装着される。そして、機構板８の開放側に位置した側縁の上下部に遊技盤固定用締付具９を取着するための取付部１０，１０が突出形成されている。
【００１１】
前記遊技盤固定用締付具９は、図４に示すように合成樹脂によって形成された枠部材１１とレバー部材１２とで構成されている。枠部材１１は左右両側に支持壁１３，１３を対設した枠体をしており、底部１４は開口１５している。また前記左右の支持壁１３，１３の前部寄りに直角状の屈曲部１６を設けて、両支持壁１３，１３間に広巾間隔部１７ａと狭巾間隔部１７ｂを設け、狭巾間隔部１７ｂに位置する左右支持壁１３，１３間に横架する軸状に形成され係止部１８が一体に設けられている。また広巾間隔部１７ａに位置する左右支持壁１３，１３にはガイド用の長孔１９，１９が底部１４と平行状に設けられており、該長孔１９，１９の上端には後述するレバー部材１２のガイドピン２０，２０が係止する係止孔２１，２１が形成されている。２２，２２はガイドピン２０，２０を係止孔２１，２１に嵌め易くする補助突起であり、４３，４３は屈曲部１６，１６に設けられた半円状の補助係止部である。
【００１２】
前記レバー部材１２は、上端下面に前記係止部１８に係合する第一係合部２３が形成され、該第一係合部２３は前記係止部１８の軸径よりやや狭く形成され、かつ該係止部１８に対して上方から嵌合し易いように、下面側にＣ字形の嵌込開口２４が形成されている。また下端には断面円弧状の第二係合部２５が形成され、該第二係合部２５の両側にガイドピン２０，２０が突出形成される。一方レバー部材１２の側面に前記屈曲部１６，１６に当接して、ガイドピン２０，２０を係止孔２１，２１から長孔１９，１９を移動して、第二係合部２５が後述する固定具２６と係合する位置までガイドする円弧状のガイド部２７，２７をスリット４４，４４を介して設けている。４５は第二係合部２５上面に形成された係合凹部である。
【００１３】
このように構成される遊技盤固定用締付具９は、レバー部材１２のガイドピン２０，２０をガイド用の長孔１９，１９に嵌挿することで、レバー部材１２が枠部材１１に摺動自在に簡単に組立られる。そして、ガイドピン２０，２０を長孔１９，１９内を移動させ補助突起２２，２２を支点としてレバー部材１２を回動するとガイドピン２０，２０が係止孔２１，２１に嵌入してレバー部材１２を図６鎖線で示す締付解除位置に保持する。
【００１４】
また、前記遊技盤固定用締付具９の枠部材１１の下端には開口溝２８を有する係止片部２９が一体に設けられている。また、枠部材１１の上端には上方に突出するようにフランジ片３０が延長形成されており、そのフランジ片３０部分に底面と内側面とが開口された袋状の嵌合部３１が形成されている。なお、前記係止片部２９は円弧状に緩やかに弯曲する形状に形成するのが好適である。これは、後述する機構板８の取付部１０に形成される挿入間隙３４ｂへの挿入がスムーズに行われるようにするためである。
【００１５】
一方、機構板８の取付部１０，１０には図３に示すように固定具２６の先端が臨む開孔３２が形成されている。また取付部１０，１０の上下位置に支持片３３ａ，３３ｂが対向状に設けられており、該支持片３３ａ，３３ｂによって取付部１０の上面との間に挿入間隙３４ａ，３４ｂがそれぞれ形成されている。そして、一方の支持片３３ｂには挿入間隙３４ｂ内に位置するように筒状突起３５を設けている。なお、前記挿入間隙３４ａ，３４ｂは枠部材１１の係止片部２９及びフランジ片３０の肉厚寸法と等しく形成されている。
【００１６】
さらに、前記取付部１０，１０には遊技盤固定用締付具９の枠部材１１であり、その内側に位置する右側支持壁１３に当接する枠片３６と、枠部材１１を枠片３６に当接した状態で該枠部材１１の外側に位置する左側支持壁１３に当接する係合突起３７を設けている。この係合突起３７の上面は取付部１０の端部から内側方向に向かうテーパー面として形成されている。また枠部材１１の右側支持壁１３の下縁に係合突起３７が通過し得る切欠部３８が形成してある。
【００１７】
上記のように構成したパチンコ機における遊技盤固定用締付具９の取付けは、まず、締付解除位置に保持させたレバー部材１２を、図５鎖線で示すようにまず機構板８に形成した取付部１０の挿入間隙３４ｂに遊技盤固定用締付具９の係止片部２９を挿入して筒状突起３５に開口溝２８を嵌合する。これによって、遊技盤固定用締付具９は筒状突起３５を支点として回動可能となる。
【００１８】
次いで、遊技盤固定用締付具９を図５鎖線状態から時計廻り方向に回動してフランジ片３０の上端を挿入間隙３４ａ内に臨ませて押し込むようにすると、左側支持壁１３の下縁が係合突起３７のテーパー面に接触しながら該係合突起３７を乗り越え、図２および図５実線に示すように左右両支持壁１３，１３の側面が枠片３６と係合突起３７に密着することになる。これによって、枠片３６と係合突起３７とによって遊技盤固定用締付具９の横ズレが抑止されると共に、支持片３３ａ，３３ｂによって上下方向のガタつきも抑止されることになり、遊技盤固定用締付具９が機構板８に確固と固定される。
【００１９】
また、機構板８の取付部１０には遊技盤固定用締付具９の袋状の嵌合部３１に嵌合する筒状突起４０が突設されている。この嵌合部３１と筒状突起４０は、例えば上部の支持片３３ａが折損したような場合、嵌合部３１のねじ挿通孔４１から筒状突起４０のねじ孔４２にねじを締着することで遊技盤固定用締付具９を交換することなくそのまま継続して使用可能とするためのものである。
【００２０】
一方、遊技盤取付枠３の後面３ａには図３および図６に示すように鉤状の固定具２６が一体に設けられている。この固定具２６の先端には係止突部４６ａを備えた係合部４６が設けられ、取付部１０の開孔３２に合致して枠部材１１の開口１５に臨むようになっており、該係合部４６は機構板８を遊技盤４の裏面に密着させた状態でレバー部材１２の第二係合部２５と対応するように位置決めされている。なお、本実施の形態では遊技盤取付枠３は、前面枠２と一体に形成されているが、別体に形成されたものでもよく、さらに固定具２６を別体に形成してもよい。
【００２１】
上記した構成からなる遊技盤の固定装置は、遊技盤固定用締付具９のレバー部材１２を図６鎖線で示した締付解除位置に回動した状態で、機構板８を遊技盤４の裏面に密着させる。そして、この状態からレバー部材１２を締付け方向に押圧すると、ガイド部２７，２７の円弧面が屈曲部１６，１６に当接して、それに伴いガイドピン２０，２０が係止孔２１，２１の係止を解かれ長孔１９，１９を移動し、この移動により第二係合部２５が係合部４６に係合すると共に係止突部４６ａが係止凹部４５に嵌合する。同時に第一係合部２３の嵌込開口２４が係止部１８に合致して図６実線に示した締付位置に回動して係合する。このときガイド部２７，２７の終端は屈曲部１６，１６に設けられた補助係止部４３，４３によって係止され、レバー部材１２がむやみに係合解除しないようにしている。その結果遊技盤取付枠３が引き寄せられると同時に機構板８が遊技盤４の裏面に強く圧接され、遊技盤４を遊技盤取付枠３に強く固定することができる。
【００２２】
また図７に示すように枠部材１１の左右の支持壁１３，１３に、レバー部材１２の締付け時にレバー部材１２の上面に係止する係止突起４７，４７を設けるようにして、レバー部材１２がむやみに係合解除しないようにするとよく、該係止突起４７，４７の両側に沿うように切欠溝４８，４８を設けて係合突起４７，４７に弾性を付与させるようにすることで軽い力で係止することができる。
【００２３】
【発明の効果】
以上のように本発明に係るパチンコ機における遊技盤の固定装置は、遊技盤固定用締付具の部品点数を減らしてコストを削減すると共に、組立を容易にして作業性を高め、かつ強固な締付力が維持できる優れた効果を発揮する。
【図面の簡単な説明】
【図１】本発明が適用されるパチンコ機の裏面図。
【図２】遊技盤の固定状態を示す要部の斜視図。
【図３】本発明の関連構成を説明する分解斜視図。
【図４】遊技盤固定用締付具の分解斜視図。
【図５】遊技盤固定用締付具の取付状態を示す正面図。
【図６】遊技盤固定用締付具の取付状態を示す側面断面図。
【図７】他の実施の形態の枠部材の斜視図。
【図８】従来技術の説明図。
【符号の説明】
４                遊技盤
９                遊技盤固定用締付具
１１              枠部材
１２              レバー部材
１３，１３        支持壁
１４              底部
１５              開口
１８              係止部
１９，１９        長孔
２０，２０        ガイドピン
２３              第一係合部
２５              第二係合部
２６              固定具
４６              係合部
【図１】
0004280331.tif 000002
【図２】
0004280331.tif 000003
【図３】
0004280331.tif 000004
【図４】
0004280331.tif 000005
【図５】
0004280331.tif 000006
【図６】
0004280331.tif 000007
【図７】
0004280331.tif 000008
【図８】
0004280331.tif 000009